(57)【特許請求の範囲】
【請求項１】
アルミ合金製のレール部及び外枠からなり躯体に固定されるシャッター用ガイドレールと、
前記躯体から垂直に起立する前記外枠の支持壁と、
支持壁基部から前記躯体と平行に曲がって連続し前記外枠を前記躯体へ固定する複数の固定穴が穿設される鍔状固定縁部と、
前記鍔状固定縁部と前記躯体との間に挟み入れられる熱発泡材と、
を具備することを特徴とするシャッター用ガイドレールの防火構造。
【請求項２】
請求項１記載のシャッター用ガイドレールの防火構造であって、
前記熱発泡材が、前記鍔状固定縁部の長手方向に沿って延在するテープ状に形成されることを特徴とするシャッター用ガイドレールの防火構造。
【請求項３】
請求項１または２記載のシャッター用ガイドレールの防火構造であって、
ネジ貫通穴を有して前記鍔状固定縁部の表面を覆い固定ネジによって前記鍔状固定縁部と前記躯体に共締め固定されるスチール製のベース部材と、
前記ベース部材に設けられる取付片と、
前記取付片に係合して取り付けられ前記ベース部材及び前記鍔状固定縁部を覆う化粧部材と、
を具備することを特徴とするシャッター用ガイドレールの防火構造。
【請求項４】
請求項３記載のシャッター用ガイドレールの防火構造であって、
前記鍔状固定縁部と前記ベース部材との間に薄板耐火材が挟まれていることを特徴とするシャッター用ガイドレールの防火構造。
【請求項５】
請求項４記載のシャッター用ガイドレールの防火構造であって、
前記薄板耐火材には、前記支持壁と平行に曲がって該支持壁を覆う折曲延出部が設けられていることを特徴とするシャッター用ガイドレールの防火構造。
【請求項６】
請求項５記載のシャッター用ガイドレールの防火構造であって、
前記化粧部材には、前記折曲延出部を覆う被覆片部が設けられていることを特徴とするシャッター用ガイドレールの防火構造。
【発明の詳細な説明】
【技術分野】
【０００１】
本発明は、シャッター用ガイドレールの防火構造に関する。
【背景技術】
【０００２】
防火性能を向上させたシャッター装置が提案されている。例えば特許文献１に開示される防火シャッターのシャッターカーテンは、火災時に加熱されて発泡する不燃性発泡材で形成された未発泡の断熱プレートが、スラットカーテンを構成するスラット本体の上下インターロック部の間に取り付けられる。当該スラットカーテンの全面には、不燃シートが断熱プレートを介して接着される。これにより、シャッターカーテンを閉じたときの断熱効果を高め、加熱された場合でもスラットが反ったり捩れたりしてインターロックが外れることがないようにしている。
【０００３】
また、特許文献２に開示されるシートシャッターは、耐熱シートが、建物開口部の両側に設けられたガイドレールに沿って昇降する。周囲が火災により加熱されると、ガイドレール内に配置されている発泡材が発泡して、耐熱シートの端部をガイドレールの内壁に押さえ込んで、風圧により耐熱シートがガイドレールから抜け出ることを防止する。同時に、発泡した発泡材によって、耐熱シートとガイドレールとの隙間を埋めて、防煙効果を向上させる。
【先行技術文献】
【特許文献】
【０００４】
【特許文献１】特開平６−１０５７５号公報
【特許文献２】特開平１０−３３１５５３号公報
【発明の概要】
【発明が解決しようとする課題】
【０００５】
しかしながら、上記した技術は、従来のシャッター装置の構成部材を変更する必要があり、部品コストや製造コストが高くなる場合がある。また、シャッターカーテンの両側縁をガイドするガイドレールは、アルミ合金等による押出成形品が用いられることが多い。アルミ合金よりなることで、ガイドレールは意匠性を持たせることができ、またその素材により防錆性もあり住宅用には好適である。ところが、アルミ合金等によるガイドレールは、火災発生時に過度の熱を受けると変形を起こす可能性がある。ガイドレールは、所定間隔が固定ネジによって躯体に固定されるが、熱膨張による変形によって、固定ネジ同士間が膨らみ、その結果、躯体との間に生じた隙間から炎が通る虞がある。さらに、加熱が進むと、ガイドレールを躯体に固定する固定ネジを通すためのネジ穴が拡がり、ガイドレールが固定ネジから外れて、脱落する虞もある。
【０００６】
本発明は上記状況に鑑みてなされたもので、その目的は、従来の構成部材を変更せずに防火性能を向上させることのできるシャッター用ガイドレールの防火構造を提供することにある。
【課題を解決するための手段】
【０００７】
次に、上記の課題を解決するための手段を、実施の形態に対応する図面を参照して説明する。
本発明の請求項１記載のシャッター用ガイドレールの防火構造は、アルミ合金製のレール部２７及び外枠２９からなり躯体１９に固定されるシャッター用ガイドレール１１と、
前記躯体１９から垂直に起立する前記外枠２９の支持壁４５と、
支持壁基部５３から前記躯体１９と平行に曲がって連続し前記外枠２９を前記躯体１９へ固定する複数の固定穴５９が穿設される鍔状固定縁部５５と、
前記鍔状固定縁部５５と前記躯体１９との間に挟み入れられる熱発泡材６５と、
を具備することを特徴とする。
【０００８】
このシャッター用ガイドレール１１の防火構造では、外枠２９の鍔状固定縁部５５が、熱発泡材６５を挟んで、鍔状固定縁部５５の表面から貫通する固定ネジ５７によって躯体１９に固定される。鍔状固定縁部５５は、外枠２９の長手方向が複数の固定ネジ５７によって所定の間隔で固定される。火災の熱により鍔状固定縁部５５が熱膨張し、固定ネジ同士間の鍔状固定縁部５５が躯体１９から離れて隙間６７が生じると、同時にその熱により熱発泡材６５が膨張し、膨張した熱発泡材６５によって隙間６７が埋められることになる。
【０００９】
本発明の請求項２記載のシャッター用ガイドレールの防火構造は、請求項１記載のシャッター用ガイドレール１１の防火構造であって、
前記熱発泡材６５が、前記鍔状固定縁部５５の長手方向に沿って延在するテープ状に形成されることを特徴とする。
【００１０】
このシャッター用ガイドレール１１の防火構造では、鍔状固定縁部５５が熱膨張すると、固定ネジ同士の間の隙間６７が複数発生する可能があるが、その全ての隙間６７に対応させて熱発泡材６５がテープ状となって簡単に配設可能となる。
【００１１】
本発明の請求項３記載のシャッター用ガイドレールの防火構造は、請求項１または２記載のシャッター用ガイドレール１１の防火構造であって、
ネジ貫通穴７３を有して前記鍔状固定縁部５５の表面を覆い固定ネジ５７によって前記鍔状固定縁部５５と前記躯体１９に共締め固定されるスチール製のベース部材６９と、
前記ベース部材６９に設けられる取付片７５と、
前記取付片７５に係合して取り付けられ前記ベース部材６９及び前記鍔状固定縁部５５を覆う化粧部材７１と、
を具備することを特徴とする。
【００１２】
このシャッター用ガイドレール１１の防火構造では、スチール製のベース部材６９がネジ貫通穴７３を、鍔状固定縁部５５の固定穴５９に一致させてこの鍔状固定縁部５５に重ねて配置される。ベース部材６９のネジ貫通穴７３から挿入された固定ネジ５７は、鍔状固定縁部５５の固定穴５９を通り、熱発泡材６５を貫通して躯体１９に固定される。従って、アルミ合金製の鍔状固定縁部５５に形成された固定穴５９は、スチール製のベース部材６９によって覆われた状態で固定ネジ５７が通される。これにより、外部からの火災による熱よって鍔状固定縁部５５の固定穴５９が変形しても、鍔状固定縁部５５がベース部材６９と躯体１９とに挟まれ、容易に躯体１９から脱落しなくなる。また、これらの固定ネジ５７、ベース部材６９は、火災でない通常時には、化粧部材７１によって覆われて露出しなくなる。
【００１３】
本発明の請求項４記載のシャッター用ガイドレールの防火構造は、請求項３記載のシャッター用ガイドレール１１の防火構造であって、
前記鍔状固定縁部５５と前記ベース部材６９との間に薄板耐火材８１が挟まれていることを特徴とする。
【００１４】
このシャッター用ガイドレール１１の防火構造では、鍔状固定縁部５５の長手方向に部分的にベース部材６９が重ねて設けられることで、その部分がベース部材６９によって覆われるのに加え、ベース部材同士の間の鍔状固定縁部５５も、薄板耐火材８１によって覆われ、アルミ合金製の鍔状固定縁部５５の全てが露出しなくなる。
【００１５】
本発明の請求項５記載のシャッター用ガイドレールの防火構造は、請求項４記載のシャッター用ガイドレール１１の防火構造であって、
前記薄板耐火材８１には、前記支持壁４５と平行に曲がって該支持壁４５を覆う折曲延出部８３が設けられていることを特徴とする。
【００１６】
このシャッター用ガイドレール１１の防火構造では、薄板耐火材８１に、支持壁４５と平行に曲がった折曲延出部８３が設けられ、鍔状固定縁部５５に加えて、支持壁４５も覆われて、アルミ合金製の外枠２９の表出部分がより少なくなる。
【００１７】
本発明の請求項６記載のシャッター用ガイドレールの防火構造は、請求項５記載のシャッター用ガイドレール１１の防火構造であって、
前記化粧部材７１には、前記折曲延出部８３を覆う被覆片部８５が設けられていることを特徴とする。
【００１８】
このシャッター用ガイドレール１１の防火構造では、外枠２９の支持壁４５を覆う折曲延出部８３が、固定ネジ５７やベース部材６９を覆う化粧部材７１に設けられた被覆片部８５によって覆われる。これにより、防火性能を高めるために増設した複数の作用部材が一括して覆え、見栄えを低下させることがない。
【発明の効果】
【００１９】
本発明に係る請求項１記載のシャッター用ガイドレールの防火構造によれば、躯体と鍔状固定縁部との間に熱発泡材が挟まれ、この熱発泡材が火災時には膨張して躯体と外枠とに生じてしまう隙間を塞ぐので、従来の構成部材を変更せずに防火性能を向上させることができる。
【００２０】
本発明に係る請求項２記載のシャッター用ガイドレールの防火構造によれば、幅狭な鍔状固定縁部に対して容易に取り付けることができ、火災時に、躯体と鍔状固定縁部との間に発生する隙間を、外枠の長手方向に渡って容易に塞ぐことができる。
【００２１】
本発明に係る請求項３記載のシャッター用ガイドレールの防火構造によれば、アルミ合金製の鍔状固定縁部を覆ったスチール製のベース部材が、鍔状固定縁部とともに躯体に共締めされるので、火災時に、固定ネジが外枠から容易に抜けなくなる。また、化粧部材によってベース部材や固定ネジが隠され、見栄えを低下させることがない。
【００２２】
本発明に係る請求項４記載のシャッター用ガイドレールの防火構造によれば、ベース部材に覆われる部分以外の鍔状固定縁部も、薄板耐火材で覆えるので、鍔状固定縁部を熱変形し難くして、防火性能を高めることができる。
【００２３】
本発明に係る請求項５記載のシャッター用ガイドレールの防火構造によれば、折曲延出部によって薄板耐火材の剛性が向上し外枠の補強構造となり、また、この折曲延出部が、外枠の支持壁も覆うので、外枠の防火性能をさらに高めることができる。
【００２４】
本発明に係る請求項６記載のシャッター用ガイドレールの防火構造によれば、外枠の支持壁を覆う折曲延出部が、化粧部材の被覆片部によって覆われるので、防火性能を高めつつ、見栄えの低下を防止できる。
【図面の簡単な説明】
【００２５】
【図１】本発明に係る防火構造を備えたシャッター装置の外観斜視図である。
【図２】図１に示したレール部の平面図である。
【図３】図２に示した外枠が躯体に固定される前の断面図である。
【図４】図２に示した外枠の側面図である。
【図５】図４に示した外枠が火災の熱で変形した際の状況を例示する側面図である。
【図６】鍔状固定縁部にベース部材と化粧部材が取り付けられた変形例に係る防火構造の平断面図である。
【図７】図６に示した防火構造の躯体に固定される前の平面図である。
【図８】ベース部材による取付状況を表した外枠の斜視図である。
【図９】薄板耐火材が挟まれる変形例に係る防火構造の平断面図である。
【図１０】図９に示した防火構造の躯体に固定される前の平面図である。
【発明を実施するための形態】
【００２６】
以下、本発明に係る実施形態を図面を参照して説明する。
図１は本発明に係る防火構造を備えたシャッター装置の外観斜視図である。
本実施形態に係るシャッター用ガイドレール１１の防火構造は、例えばカーテン部１３を用いて建物開口部１５を開閉するシャッター装置１７に好適に用いることができる。シャッター装置１７は、例えば住宅の窓部を構成するサッシ窓２１の外側に取り付けられる。建物開口部１５の上方にはシャッター装置１７の収納部２３が取り付けられている。カーテン部１３は、アルミ製やスチール製のスラット２５を複数連結した一般的なカーテン部１３の他、パネル材や樹脂製シート状のカーテン部１３とすることもできる。
【００２７】
なお、シート状のカーテン部１３は、他の樹脂にて構成されるシート材や、ゴムシート材、織布や、樹脂製ネットスクリーン、金属製ネットスクリーン、シリカクロス、ガラスクロス等を素材とする構成や、これら素材を複合や積層させた素材等としてもよく、このカーテン部１３を構成する素材を、耐火性，防火性，防炎性を有する素材とすることができる。
【００２８】
図２は図１に示したレール部２７の平面図、図３は図２に示した外枠２９が躯体１９に固定される前の断面図である。
シャッター用ガイドレール１１は、カーテン部１３を案内するレール部２７と、レール部２７を支持して躯体１９に固定される外枠２９と、を有する。レール部２７と外枠２９とは、アルミ押出成形材よりなる。レール部２７は、カーテン部１３の操出巻取方向に沿うカーテン縁部３１のそれぞれをスリット３３に抜け止め規制して案内する。抜け止め規制は、断面Ｔ字状の樹脂材よりなる抜け止め部材３５をカーテン縁部３１に取り付け、この抜け止め部材３５をスリット３３に係合して行われる。
【００２９】
レール部２７は、外枠２９と連結部分にて連結される。連結部分は、レール部２７に形成される凹状爪３７と、外枠２９に形成されるＬ字状爪３９と、からなる。レール部２７と外枠２９とは、この凹状爪３７とＬ字状爪３９とを係合して連結される。また、レール部２７には開口側延出片４１が形成され、開口側延出片４１は外枠２９に形成される開口側起立片４３にネジ等の固定手段にて固定される。これにより、レール部２７は、固定手段のみにより取り外し可能に外枠２９に固定される。
【００３０】
外枠２９は、躯体１９から垂直に起立する支持壁４５を有する。Ｌ字状爪３９は、この支持壁４５の起立先端側に形成されている。また、支持壁４５の途中からは上記の開口側起立片４３が突出している。支持壁４５には開口側起立片４３の下方にさらに、サッシ接続片４７が突設される。サッシ接続片４７は、外枠２９が固定されると、パッキン４９を介してサッシ窓２１のサッシ枠５１に接続される。なお、このパッキン４９は、サッシ接続片４７の長手方向に沿って延在する略テープ状に形成されており、例えば、ゴム、発泡樹脂材を素材とされている。このパッキン４９は、サッシ枠５１とサッシ接続片４７の隙間から浸入する雨水などを抑制するとともに、サッシ枠５１の取付精度の影響を少なくするためのものであり、また、外部からの火災や火災による熱によって外枠２９が変形した場合でも、支持壁４５の倒れを抑制することが可能となる。
【００３１】
外枠２９は、サッシ接続片４７よりも下方が、支持壁基部５３となる。支持壁基部５３には、躯体１９と平行に外側へ曲がって連続し外枠２９を躯体１９へ固定する鍔状固定縁部５５が形成されている。鍔状固定縁部５５には、外枠２９を固定ネジ５７にて躯体１９へ固定するための複数の固定穴５９が穿設されている。また、鍔状固定縁部５５の躯体１９に対向する面には、支持壁基部５３の剛性を保つように幅方向（図３の左右方向）両側にリブ６１が形成される。鍔状固定縁部５５は、固定ネジ５７により固定される際、このリブ６１を躯体１９に当接して固定される。つまり、躯体１９に固定された鍔状固定縁部５５は、躯体１９との間に空隙６３を形成する。
【００３２】
本防火構造では、この空隙６３に熱発泡材６５が設けられている。つまり、熱発泡材６５は、鍔状固定縁部５５と躯体１９との間に挟み入れられることになる。熱発泡材６５は、シート状のもの、あるいは塗料であってもよい。塗料としては、例えばＳＫ化研株式会社製の「ＳＫタイカコート」を用いることができる。ＳＫタイカコートは、発泡性耐火塗料で、数ミリで耐火性能を発揮する。火災の熱により２０〜３０倍に発泡して断熱層を形成する。また、熱発泡材６５としては、積水化学工業株式会社製のフィブロック（商品名）を用いることができる。この熱膨張耐火材は、プラスチック系の耐火材料であり、厚み方向にのみ膨張する。熱膨張耐火材は、厚み方向に、５〜４０倍に膨張し、高断熱層を形成する。
【００３３】
本実施形態では、この熱発泡材６５が、鍔状固定縁部５５の長手方向に沿って延在するテープ状に形成される。テープ状は、塗膜によって形成されてもよく、あるいは粘着面を有したシート状のものをテープ状に形成して得てもよく、このような形状とすることで、容易に取り付けることが可能となる。
【００３４】
次に、上記防火構造の作用を説明する。
図４は図２に示した外枠２９の側面図、図５は図４に示した外枠２９が火災の熱で変形した際の状況を例示する側面図である。
上記のように構成される防火構造では、図４に示すように、外枠２９の鍔状固定縁部５５が、熱発泡材６５を挟んで、鍔状固定縁部５５の表面から貫通する固定ネジ５７によって躯体１９に固定される。鍔状固定縁部５５は、外枠２９の長手方向が複数の固定ネジ５７によって所定の間隔で固定される。
【００３５】
図５に示すように、火災の熱により鍔状固定縁部５５が熱変形、熱膨張し、固定ネジ同士間の鍔状固定縁部５５が躯体１９から浮き離れて隙間６７が生じると、同時にその熱により熱発泡材６５が膨張する。膨張した熱発泡材６５は、鍔状固定縁部５５と躯体１９との隙間６７を埋めることになる。これにより、熱膨張の変形によって鍔状固定縁部５５と躯体１９との間に生じてしまった隙間６７から、炎の通ることが防止される。
【００３６】
また、上記のように、熱発泡材６５は、テープ状に形成されている。鍔状固定縁部５５が熱膨張すると、固定ネジ同士の間の隙間６７が複数発生する可能があるが、連続したテープ状の熱発泡材６５であれば、その全ての隙間６７に簡単に対応させて配設が可能となる。これにより、火災時に、躯体１９と鍔状固定縁部５５との間に発生する全ての隙間６７を、外枠２９の長手方向に渡って容易に塞ぐことができる。
【００３７】
次に、上記防火構造の変形例を説明する。
図６は鍔状固定縁部５５にベース部材６９と化粧部材７１が取り付けられた変形例に係る防火構造の平断面図、図７は図６に示した防火構造の躯体１９に固定される前の平面図、図８はベース部材６９による取付状況を表した外枠２９の斜視図である。
なお、図１〜図５に示した部材と同等の部材には同一の符号を付し重複する説明は省略するものとする。
この変形例では、鍔状固定縁部５５の固定穴５９がスチール製（例えばステンレス鋼）のベース部材６９によって覆われる。図８に示すように、ベース部材６９は、ネジ貫通穴７３を有して鍔状固定縁部５５の表面を覆い、固定ネジ５７によって鍔状固定縁部５５と躯体１９に共締め固定される。ベース部材６９は、中央部が幅狭に括れた短冊状に形成され、長手方向両端にネジ貫通穴７３が形成される。
【００３８】
ベース部材６９の中央部左右には一対のバネ性を有する取付片７５が起立して設けられ、各取付片７５は中途がく字状に折曲形成され、それぞれの折曲部分であるく字状係止部７９が外側に膨らむように配置構成される。この取付片７５には、アルミ合金製の化粧部材７１が取り付けられる。化粧部材７１は、断面コ字状の長尺に形成され、内面には複数の係止溝７７が形成される。取付片７５は、く字状係止部７９を係止溝７７に係止して化粧部材７１を係止する。
【００３９】
取付片７５を備えたベース部材６９は、図８に示すように、所定の間隔、例えば約３５ｃｍ間隔で鍔状固定縁部５５に沿って複数のものが固定される。鍔状固定縁部５５と共締めされたベース部材６９の取付片７５には、化粧部材７１が取り付けられる。取付片７５に取り付けられた化粧部材７１は、図６に示すように、ベース部材６９、固定ネジ５７、鍔状固定縁部５５を覆い隠すことになる。
【００４０】
この変形例による防火構造では、スチール製のベース部材６９がネジ貫通穴７３を、鍔状固定縁部５５の固定穴５９に一致させてこの鍔状固定縁部５５に重ねて配置される。ベース部材６９のネジ貫通穴７３から挿入された固定ネジ５７は、鍔状固定縁部５５の固定穴５９を通り、熱発泡材６５を貫通して躯体１９に固定される。従って、アルミ合金製の鍔状固定縁部５５に形成された固定穴５９は、スチール製のベース部材６９によって覆われた状態で固定ネジ５７が通される。これにより、外部からの火炎や火災による熱によって鍔状固定縁部５５の固定穴５９が変形しても、鍔状固定縁部５５がベース部材６９と躯体１９とに挟まれ、容易に躯体１９から脱落しなくなる。また、これらの固定ネジ５７、ベース部材６９は、火災でない通常時には、化粧部材７１によって覆われて露出しなくなる。
【００４１】
従って、この変形例に係る防火構造によれば、アルミ合金製の鍔状固定縁部５５を覆ったスチール製のベース部材６９が、鍔状固定縁部５５とともに躯体１９に共締めされるので、火災時に、固定ネジ５７が外枠２９から容易に抜けなくなる。また、化粧部材７１によってベース部材６９や固定ネジ５７が隠され、見栄えを低下させることがなく、すなわち防火構造を表出させることがない。
【００４２】
次に、上記防火構造の他の変形例を説明する。
図９は薄板耐火材８１が挟まれる変形例に係る防火構造の平断面図、図１０は図９に示した防火構造の躯体１９に固定される前の平面図である。
この変形例に係る防火構造は、鍔状固定縁部５５とベース部材６９との間にスチール製の薄板耐火材８１が挟まれる。薄板耐火材８１は、帯板であってもよい。この変形例では、薄板耐火材８１に、支持壁４５と平行に曲がって支持壁４５に沿い、この支持壁４５の一部分を覆う折曲延出部８３が設けられている。
【００４３】
この変形例では、鍔状固定縁部５５の長手方向に部分的にベース部材６９が重ねて設けられることで、その部分がベース部材６９によって覆われる。これに加え、ベース部材同士の間の鍔状固定縁部５５も、薄板耐火材８１によって覆われ、アルミ合金製の鍔状固定縁部５５の全てが露出しなくなる。
【００４４】
従って、ベース部材６９に覆われる部分以外の鍔状固定縁部５５も、薄板耐火材８１で覆えるので、鍔状固定縁部５５を熱変形し難くして、防火性能を高めることができる。
【００４５】
これに加え、薄板耐火材８１に、支持壁４５と平行に曲がった折曲延出部８３が設けられ、剛性が向上することとなり、鍔状固定縁部５５に加えて、支持壁４５も覆われるので、アルミ合金製の外枠２９の表出部分がより少なくなる。従って、外枠２９の防火性能をさらに高めることができる。また、サッシ枠５１とサッシ接続片４７の隙間から浸入する雨水などの抑制や、サッシ枠５１の取付精度の影響を少なくするパッキン４９により、外部からの火災や火災による熱によって外枠２９が変形した場合に、支持壁４５の倒れを抑制することが可能となるとともに、薄板耐火材８１の折曲延出部８３による火炎や熱からの支持壁４５の保護に加え、このパッキン４９がサッシ接続片４７を支えることとなり、より変形を抑えることができる。
【００４６】
この折曲延出部８３を備えた変形例では、化粧部材７１に、折曲延出部８３を覆う被覆片部８５が設けられていることが好ましい。外枠２９の支持壁４５を覆う折曲延出部８３が、化粧部材７１に設けられた被覆片部８５によって覆われることになる。これにより、防火性能を高めるために増設した複数の作用部材が一括して覆え、見栄えを低下させることがない。従って、防火性能を高めつつ、見栄えの低下を防止することができる。
【００４７】
従って、本実施形態に係るシャッター用ガイドレール１１の防火構造によれば、躯体１９と鍔状固定縁部５５との間に熱発泡材６５が挟まれ、この熱発泡材６５が火災時には膨張して躯体１９と外枠２９との隙間６７（図５参照）を塞ぐので、従来の構成部材を変更せずに防火性能を向上させることができる。
【符号の説明】
【００４８】
１１…シャッター用ガイドレール
１９…躯体
２７…レール部
２９…外枠
４５…支持壁
５３…支持壁基部
５５…鍔状固定縁部
５７…固定ネジ
５９…固定穴
６５…熱発泡材
６９…ベース部材
７１…化粧部材
７３…ネジ貫通穴
７５…取付片
８１…薄板耐火材
８３…折曲延出部
８５…被覆片部
【図１】
0005823262.tif 000002
【図２】
0005823262.tif 000003
【図３】
0005823262.tif 000004
【図４】
0005823262.tif 000005
【図５】
0005823262.tif 000006
【図６】
0005823262.tif 000007
【図７】
0005823262.tif 000008
【図８】
0005823262.tif 000009
【図９】
0005823262.tif 000010
【図１０】
0005823262.tif 000011